(57)【特許請求の範囲】
【請求項１】
それぞれ可撓性を有する防水布からなる底面部と堰壁部とを備え、
前記底面部の奥端部と前記堰壁部の下端部とが、前記堰壁部が倒伏姿勢から起立可能な状態で一体に形成され、
前記堰壁部には、複数の芯材収納部が設けられて、堰壁部の下端部近傍箇所から上端部近傍箇所まで芯材が収納され、
前記底面部の上面と堰壁部の前面側とをつなげて堰壁部の起立時の角度を規制する、可撓性を有する規制隔壁部が設けられ、
前記芯材収納部が内面防水布と外面防水布からなる袋状とされ、
前記芯材が、前記内面防水布と前記外面防水布の間隔を離間させ、剛性を有するスペーサーである
ことを特徴とする浸水防止堰。
【請求項２】
前記芯材を挿入する挿入口が、前記外面防水布の下辺側に形成されていることを特徴とする、請求項１記載の浸水防止堰。
【請求項３】
前記芯材が、発泡樹脂板であることを特徴とする、請求項１または２に記載の浸水防止堰。
【請求項４】
前記堰壁部は、前記複数の芯材収納部が幅方向に隣接し、
芯材収納部間が可撓性を有する防水布からなる堰接続部を介し、一体に形成されていることを特徴とする、請求項１〜３の何れか１項に記載の浸水防止堰。
【請求項５】
前記規制隔壁部は、底面部の上面につなげられた辺と堰壁部の一側面につなげられた辺との交差する角度が、６０度以上９０度未満の状態となるよう形成されていることを特徴とする、請求項１〜４の何れか１項に記載の浸水防止堰。
【請求項６】
前記底面部および前記堰壁部における幅方向の両端辺の少なくとも一方に、他の浸水防止堰を接続可能なファスナーが取り付けられていることを特徴とする、請求項１〜５の何れか１項に記載の浸水防止堰。
【発明の詳細な説明】
【技術分野】
【０００１】
本発明は浸水防止堰に関する。
【背景技術】
【０００２】
豪雨、河川の氾濫、高潮、津波等で起こる洪水などによって生じた大量の水が流入することを防止する浸水防止堰を形成する従来工法としては、袋の中に土砂を詰めて土嚢を形成し、この土嚢を上下ならびに左右に多数積み重ねることが行われている。しかし、この方法では、袋の中に土砂を詰める作業や、多数の土嚢を積み上げる作業に極めて多くの手間や時間がかかるとともに、重労働を強いるという難点がある。
【０００３】
このように多くの手間や時間をかけたり、重労働を強いたりしなくても、浸水防止堰を形成可能な構造として、例えば、特許文献１等に比較的簡単な構造の流水止めフェンスが開示されている。
【０００４】
この流水止めフェンスは、図１１、図１２に示すように、底面部（底面膜）５１ａおよび斜辺部（堰膜）５１ｂを有する防水シート５１と、これらの防水シート５１の片側の幅方向一定間隔毎に設けられて、防水シート５１の底面部５１ａと斜辺部５１ｂとをつなげる側面視略三角形状の隔壁部５２と、防水シート５１の斜辺部５１ｂの先端に取り付けられた浮力材５３と、防水シート５１の底面部５１ａの先端部に取り付けられた重り５４とで構成されている。なお、隔壁部５２はその底辺の長さよりも高さが小さい略扁平な形状とされている。また、特許文献２にも同様な構造の浸水防止堰（FLOOD CONTOROL BARRIER）が開示されている。
【０００５】
前記流水止めフェンスを、浸水を防止したい領域に対して防水シート５１の背面側が臨む姿勢で前記領域の周囲などに配設することで、防水シート５１の開口部側から水が流入すると、水面の高さまで浮力材５３が浮いて、防水シート５１の斜辺部５１ｂにより水が受けられ、防水シート５１の背面側に臨む前記領域に浸水することを防止できる。この場合に、前記流水止めフェンスの設置作業は、単に、この流水止めフェンスを、浸水を防止したい領域の周囲などに配設するだけでよいため、設置作業を容易に、かつ、多くの手間や時間をかけることなく行うことができる。
【先行技術文献】
【特許文献】
【０００６】
【特許文献１】特開２００２−２３５３１１号公報
【特許文献２】米国公開特許２００４／００７１５１０号公報
【発明の概要】
【発明が解決しようとする課題】
【０００７】
しかしながら、このように斜辺部５１ｂの先端部に浮力材５３を取り付けられた防水シート５１を用いた流水止めフェンスでは、浮力材５３が取り付けられている斜辺部５１ｂの先端部の高さと、水面の高さとが同じになる構成であるため、突然高い波が押し寄せた場合などには、この波が防水シート５１の斜辺部５１ｂを乗り越えてしまい、浸水を防止したい領域内に浸水してしまうおそれがある。
【０００８】
また、複数の浮力材５３の隙間では、常に防水シート５１の斜辺部５１ｂの先端において押し寄せる波の越流によって少量の浸水が起こり続け、このような越流が生じたとき、防水シート５１上に載り上げた水の荷重によって、防水シート５１の傾斜した斜辺部５１ｂが押し下げられるために、特に高い波が押し寄せた場合には十分な効果を得ることができなかった。このような構造で越流を防止するためには、浮力材５３の直径を極端に大きいものにして、斜辺部５１ｂの先端が押し寄せた波よりも十分に高くなるようにしなければならなかった。
【０００９】
このような越流は、特許文献２に記載されているように、浮力材５３を全体で１個の比較的大きいものとすることによって防ぐことができるものの、突然高い波が押し寄せた場合には、越流が生じて斜辺部５１ｂに越流水が乗りあがってしまうと、その水の荷重によって浮力材５３の浮力だけでは斜辺部５１ｂを十分に持ち上げられなくなることがあり、浸水を防止したい領域内に浸水してしまうおそれがある。
【００１０】
また、このような構造で、十分に高い水（例えば、１ｍの高さ）でも浸水を防止できるようにするためには、防水シート５１の斜辺部５１ｂや底面部５１ａの奥行き方向の長さが極めて大きいものを作成しなければならず、流水止めフェンスとして大型化する短所もある。
【００１１】
本発明は上記課題を解決するもので、高い波が押し寄せた場合などでも、浸水を防止することができ、しかも、高い波に対して浸水を防止する場合でも大型化しなくても済ませることが可能な浸水防止堰を提供することを目的とするものである。
【課題を解決するための手段】
【００１２】
上記課題を解決するために本発明の浸水防止堰は、少しの水深で良好に起立して高い波等が押し寄せた場合でも浸水を防止することができるように、それぞれ可撓性を有する防水布からなる底面部と堰壁部とを備え、前記底面部の奥端部と前記堰壁部の下端部とが、前記堰壁部が倒伏姿勢から起立可能な状態で一体に形成され、前記堰壁部には、複数の芯材収納部が設けられて、堰壁部の下端部近傍箇所から上端部近傍箇所まで芯材が収納され、前記底面部の上面と堰壁部の前面側とをつなげて堰壁部の起立時の角度を規制する、可撓性を有する規制隔壁部が設けられ、前記芯材収納部が内面防水布と外面防水布からなる袋状とされ、前記芯材が、前記内面防水布と前記外面防水布の間隔を離間させ、剛性を有するスペーサーであることを特徴とする。ここで、可撓性とは、曲げ撓めることが可能な性質を意味し、起立とは、堰壁部が倒伏状態から起き上がって、堰壁部の上端部が水位より十分に高い位置となるように立ち上がることを意味する。堰壁部の上端部が水位より十分に高い位置となることによって高い波等が押し寄せた場合でも浸水を防止することができる。
【００１３】
また、本発明における芯材を挿入する挿入口が、前記外面防水布の下辺側に形成されていることを特徴とする。また、本発明は、芯材が、発泡樹脂板であることを特徴とする。
【００１４】
また、本発明の前記堰壁部は、複数の芯材収納部が幅方向に隣接し、芯材収納部間が可撓性を有する防水布からなる堰接続部を介し、一体に形成されていることを特徴とする。
【００１５】
また、本発明の前記規制隔壁部は、底面部の上面につなげられた辺と堰壁部の一側面につなげられた辺との交差する角度が、６０度以上９０度未満の状態となるようよう形成されていることを特徴とする。
【００１６】
また、本発明は、前記底面部および前記堰壁部における幅方向の両端辺の少なくとも一方に、他の浸水防止堰を接続可能なファスナーが取り付けられていることを特徴とする。
【発明の効果】
【００１７】
本発明によれば、それぞれ可撓性を有する防水布からなる底面部と堰壁部とを備え、前記堰壁部に、芯材収納部を設けて、堰壁部の下端部近傍箇所から上端部近傍箇所まで芯材を収納したことにより、芯材が収納された堰壁部の全体が極めて軽くて全体的に浮力を有する構造とすることができるとともに芯材によりある程度の剛性を有する構造とすることができる。
【００１８】
したがって、堰壁部の下部などの堰壁部の一部まで水が溜まるだけで、堰壁部が水圧のみによって自動的に起立する構造とすることができる。これにより、堰壁部の下部まで水が溜まった状態で高い波が押し寄せた場合でも、起立した堰壁部により、堰壁部を越えて波などが浸水する越流を防止でき、浸水防止に対する信頼性を良好に維持することができる。また、堰壁部が起立する構造とすることで、従来のように斜辺部で浸水を防止するものと比較して、起立時に堰壁部の高さに対応する寸法を、斜辺部の場合の高さに対応する長さよりも小さくしながら、つまり、堰壁部を極めて大きくしなくても越流による浸水を確実に防止でき、これにより、堰壁部ひいては浸水防止堰として大型化しなくても済ますことが可能となる。
【００１９】
また、堰壁部の芯材収納部を袋状とすることで、簡単な構造でありながら芯材を確実に収納することができる。また、芯材を挿入する挿入口を、堰壁部の下辺側に形成することで、芯材収納部に水が溜まってしまうことを防止できて、信頼性をさらに向上することができる。
【００２０】
また、前記堰壁部において、前記複数の芯材収納部が幅方向に隣接し、芯材収納部間が可撓性を有する防水布からなる堰接続部を介し、一体に形成された構造としたことにより、浸水防止堰を使用しない時には、前記堰壁部に前記底面部を重ねるとともに、さらに、堰接続部に対応する箇所で折曲することで、浸水防止堰全体を良好に折り畳むことができ、コンパクトに折り畳んだ状態で小さな空間に収納することが可能となる。
【００２１】
また、前記規制隔壁部の前記底面部の上面につなげられた辺と前記堰壁部の一側面につなげられた辺との交差する角度が、６０度以上９０度未満の状態となるよう形成することにより、比較的短い長さ（起立高さ）の堰壁部で浸水を良好に防止でき、堰壁部、ひいては、浸水防止堰として大型化しなくても済ますことが可能となる。
【００２２】
また、前記底面部および前記堰壁部における幅方向の両端辺の少なくとも一方に、他の浸水防止堰を接続可能なファスナーを取り付けることにより、他の浸水防止堰を容易に接続することができて、浸水を防止する箇所の長さ（領域の大きさ）に良好かつ簡単に対応して浸水を防止できる。
【図面の簡単な説明】
【００２３】
【図１】本発明の実施の形態に係る浸水防止堰（起立状態）を斜め前方から見た斜視図である。
【図２】本発明の実施の形態に係る浸水防止堰（起立状態）を斜め後方から見た斜視図である。
【図３】同浸水防止堰の平面図である。
【図４】同浸水防止堰の背面図である。
【図５】同浸水防止堰の側面図である。
【図６】同浸水防止堰の要部拡大側面図である。
【図７】同浸水防止堰の規制隔壁部の布目を示す側面図である。
【図８】同浸水防止堰の規制隔壁部の斜視図である。
【図９】（ａ）〜（ｃ）はそれぞれ同浸水防止堰の側面図で、（ａ）は水が無い状態、（ｂ）は水が少し（約１０ｃｍ）溜まった状態、（ｃ）は水がある程度（約３０ｃｍ）溜まった堰壁部が起立した状態を示す。
【図１０】（ａ）〜（ｄ）はそれぞれ同浸水防止堰を折り畳む際の手順を示す図である。
【図１１】従来の浸水防止堰の側面図である。
【図１２】同従来の浸水防止堰の斜視図である。
【発明を実施するための形態】
【００２４】
以下、本発明の実施の形態に係る浸水防止堰を図面に基づき説明する。
［浸水防止堰の全体構成］
図１〜図５などにおける１は、本発明の実施の形態に係る浸水防止堰である。図１〜図５などに示すように、浸水防止堰１は、それぞれ可撓性を有する防水布からなる底面部２と堰壁部４とを備えている。底面部２の奥端部（奥端辺）と堰壁部４の下端部（下端辺）とを防水布の可撓性により、堰壁部４が倒伏姿勢から起立可能な状態で一体に形成されており、この一体に形成された部分が防水布の可撓性によってヒンジとして機能する。堰壁部４には、複数の芯材収納部５が設けられて、堰壁部４の下端部（下端辺）近傍箇所から上端部（上端辺）近傍箇所まで芯材６が収納されている。浸水防止堰１には、底面部２の上面と堰壁部４の前面側とをつなげて、堰壁部４の起立時の角度を規制する規制隔壁部７が設けられ、底面部２には重り８が配設されている。
【００２５】
堰壁部４には、防水布からなる複数の芯材収納部５が幅方向に隣接し、芯材収納部５同士が、可撓性を有する防水布からなる堰接続部１０を介して横方向に延びる帯状に形成されている。そして、堰壁部４の下端部から底面部２が前方に延びるように配設されており、また、各堰接続部１０の前面からその上辺部が斜め下方にのびるように規制隔壁部７が接続されて底面部２に繋げられている。
【００２６】
底面部２および堰壁部４における幅方向の両端辺の少なくとも一方（この実施の形態では両端辺）に、浸水防止堰１同士を横方向につなげることが可能な面ファスナー（ファスナーの一例）１１が取り付けられている。
【００２７】
また、図１（仮想線）や図９（ｃ）（実線）に示すように、堰壁部４は、堰壁部４の下部（この実施の形態では約３０ｃｍの深さ）まで水Ｗが溜まると、起立姿勢となるよう構成されており、この起立姿勢では、堰壁部４が水面の高さを越える高さまで起立する。
【００２８】
［堰壁部］
堰壁部４は、可撓性を有する防水布により形成されている。図４や図６などに示すように（なお、図６においては理解し易いすいように、芯材６の厚みや芯材収納部５の厚みなどを厚めに図示している）、堰壁部４は、その断面構造が、芯材６を収納可能な袋（封筒）型の芯材収納部５を有する二重の防水布を溶着して水密状態に形成された構造である。また、堰壁部４は、芯材収納部５に芯材６を収納することで堰壁として必要な平面性と剛性、並びに水よりも十分小さい密度を備えることができる。堰壁部４は底面部２に対して起立可能な状態で、堰接続部１０を介して、幅方向に複数の芯材収納部５が隣接して配置されることにより形成されている。さらに、堰壁部４の芯材収納部５および堰接続部１０は、その折り畳み単位の数、すなわち、芯材６の数が複数個（この実施の形態では８個）で構成されているが、７個以下または９個以上を横並びに隣接させてもよい。
【００２９】
堰壁部４を形成する防水布は、例えば、ポリエステル糸からなる織編物の表面に、塩化ビニル樹脂又はエチレン−酢酸ビニル共重合体等からなる合成樹脂を被覆してなる防水布で構成するとよい。ここで、防水布とは、織物、編物、不織布、又はネットなどの布帛に合成樹脂を被覆または含浸させたものであり、好ましくは、織物に合成樹脂フィルムを貼り合わせしたターポリンである。なお、防水布は、ナイロン糸、オレフィン糸等からなる織編物の表面に、ウレタン、ポリエステル系エラストマー等からなる合成樹脂フィルムを被覆してなるターポリンでも構わない。
【００３０】
［底面部］
底面部２は、堰壁部４と一体に成形して、堰壁部４の下から浸水することを防止するように敷設する防水布である。底面部２は堰壁部４と同一素材の防水布で形成されることが好ましい。底面部２は堰壁部４へと延長する１枚の防水布により形成されてよい。図３などに示すように、底面部２は、堰壁部４の幅方向の長さに合わせて、長方形状に形成され、芯材収納部５の下面防水布２０と接合することができ、堰壁部４の内面防水布１７、上面防水布１９、外面防水布１８と一体に設けられていてもよい。
【００３１】
堰壁部４の高さＨ１と底面部２の前面方向への長さＬ１の比（Ｈ１：Ｌ１）は、２：１から１：３が好ましい。長さの比が２：１よりも小さいと底面部２の防水布上に溜まった水の重量が少なくなるため、満水時に堰壁部４が後方（背面）側に転倒することがある。また１：３よりも大きいと不要に底面部２の面積が大きくなって、折り畳んで収納するときの体積や重量がかさむため好ましくない。実施例のように長さの比を約２：５とするのがより好ましい。但し、堰の設置場所に段差や起伏があるときには、底面部２の前面方向への長さを適宜の寸法に延ばしてよい。
【００３２】
底面部２を形成する防水布は、上述のとおり、堰壁部４を形成する防水布と同様のものが使用できる。
【００３３】
［芯材収納部］
芯材収納部５は、堰壁部４を形成する防水布によって包囲された芯材６を収納する空間であり、袋状の一端に開口部を備え、芯材を挿入して収納することができる。
【００３４】
図６に示すように、芯材収納部５は、堰壁部４の内面を形成する内面防水布１７と、外面を形成する外面防水布１８と、上面を形成する上面防水布１９とから形成される。なお、芯材収納部５は、内面防水布１７の上部（または下部）と、外面防水布１８の上部（または下部）とを直接溶着することにより形成しても構わない。また、芯材収納部５は、芯材６を出し入れ可能な挿入口（開口部）２１を備えることが好ましい。芯材収納部５に挿入口２１を備えることで、芯材６が損傷又は変形した場合に、挿入口２１から芯材６を交換することができる。更に、堰壁部４の下面を形成する下面防水布２０を備えることが好ましい。下面防水布２０があると芯材６が抜け出ることを防止することができる。下面防水布２０を備えなくても、紐やボタン、スライドファスナーなどで開口を閉塞させることができる。
【００３５】
挿入口２１は、必要に応じて、芯材収納部５の少なくとも一か所に設けられる開口部分であり、その開口部分に面ファスナー２２、２３を設けることで挿入口２１を開閉自在にし、芯材６の出し入れを可能としている。具体的には、雄面ファスナーと雌面ファスナーのうちの一方の面ファスナー２２を下面防水布２０の下端（下辺部）に設け、他方の面ファスナー２３を外面防水布１８の下端（下辺部）に設けることができる。そして、挿入口２１から芯材収納部５に芯材６を収納したうえで、面ファスナー２２、２３によって挿入口２１を閉じることで、芯材６を芯材収納部５に収納する。なお、挿入口２１は、内面防水布１７、外面防水布１８、上面防水布１９、又は下面防水布２０のうちいずれに設けても構わないが、挿入口２１は、浸水防止堰１の使用時に意図せず開放することがないよう下面防水布２０に設けることが好ましく、これにより、堰壁部４（芯材収納部５）の挿入口２１から芯材６が抜け出ることを防止できるとともに、仮に芯材収納部５へ水がはいっても水が溜まることを防止できるため、後述する堰壁部全体の密度を一定に保つことができて、浸水防止堰１としての信頼性をさらに向上させることができる。
【００３６】
芯材収納部５を形成する防水布は、上述のとおり、堰壁部４を形成する防水布と同様のものが使用できる。
【００３７】
芯材収納部５を袋状（封筒状）のシートとして芯材６を内部に収容することで柔軟な防水布に堰壁としての剛性が付与され、堰壁の密度を水の密度よりも小さくすることができる。また、内部に芯材を収納することで芯材が外部から衝撃を受けた場合に、芯材６を保護して傷付き難くし、又は破損し難くする作用効果も有する。例えば、前記芯材６を収納する芯材収納部５としては、高さが約１００ｃｍ、幅が約５０ｃｍ、厚みが約５ｃｍのものを用いるとよいが、これに限るものではない。また、防水性や耐水性の乏しい芯材６を用いた場合でも、芯材収納部５により防水性を得ることができる。また、芯材収納部５をターポリンで形成することにより、屋外で長時間利用しても、芯材が劣化しにくく、キズ付きにくいため、良好な信頼性を維持できる。
【００３８】
［堰接続部］
図１〜図４、図８などに示すように、堰接続部１０は、芯材６を収納する芯材収納部５の間を分断する部分であり、芯材収納部５の連結ヒンジとしても機能する。堰接続部１０は、芯材収納部５同士が隣接する部分において、内面防水布１７と外面防水布１８とが厚み方向に高周波溶着、超音波溶着、熱風溶着、熱コテ溶着、熱板溶着等により溶着されて形成されている。また、堰接続部１０は、堰壁部４の幅方向における堰接続部１０の幅が、後述する規制隔壁部７の一端部（短辺３２、第１舌片３６）を取り付け可能であり、且つ堰壁部４を折り畳むことが可能な程度の幅で形成される。具体的には、堰接続部１０の幅は、４０ｍｍ〜４００ｍｍであることが好ましく、８０ｍｍ〜２４０ｍｍであることがより好ましく、１２０ｍｍ〜２００ｍｍであることが特に好ましい。
【００３９】
このように堰接続部１０を形成することで、芯材６が堰壁部４の幅方向へ移動することを防止する。また、堰壁部４の前側（内側）へ水が大量に溜まった際に、芯材収納部５が撓んで変形しようとする応力を軽減し、芯材６が堰壁部４の幅方向に曲がり過ぎて破損することを防止する。加えて、芯材６を収容したまま堰接続部１０の位置で折り畳み可能である。さらに、規制隔壁部７により堰接続部１０を前側（内側）へ引っ張る際に、堰接続部１０における内面防水布１７を支持する（引っ張る）だけでなく、外面防水布１８も同時に支持する（引っ張る）ことができるため、内面防水布１７のみを引っ張る構造とする場合よりも、破断強度を向上させることができる。
【００４０】
堰接続部１０を形成する防水布は、上述のとおり、堰壁部４を形成する防水布と同様のものが使用できる。
【００４１】
［芯材］
芯材６は、堰壁部４に剛性と平面性を与え、内面防水布１７と外面防水布１８の間隔を一定以上に離間させる板状のスペーサーとして機能する。ここでスペーサーとは、物と物の間に挟むか固定して使用し、空間を確保するための器具のことをいう。芯材６は堰壁部４の形状を維持するための補強部材でもある。また芯材６は耐水性を有し、水に濡れても変質し難いものが好ましく、更に吸水性の無いものがより好ましい。芯材６は軽量性の観点から発泡樹脂板（例えば、独立気泡の発泡ポリエチレン板）により形成されていることが好ましい。例えば、高さが約９５ｃｍ、幅が約４５ｃｍ、厚みが約４ｃｍの発泡樹脂板を用いることができるが、これに限るものではない。なお、芯材６は、堰壁部４の形状を維持し、堰壁部４が起立する過程で芯材が座屈して堰壁部４が折れ曲がらない程度の剛性を有するものであれば、弾性変形可能な板状の部材であってもよく、例えば、木製の板や箱体、樹脂または金属製、プラスチック製、紙製のハニカム構造体、針金による金網状の構造体、樹脂板、合成樹脂性網状体マット、ニードルパンチ不織布、スポンジ、エアマット等、またはこれらを組み合わせた構造体を用いることもできる。芯材６の見かけ密度は０．００１〜０．８ｇ／ｃｍ３が好ましい。より好ましくは０．０１〜０．６ｇ／ｃｍ３である。また、芯材６の剛性は、堰壁部４の高さおよび厚み、ならびに堰壁部４を形成する防水布の質量を考慮して適宜に採用してよい。例えば、コンクリートパネル（耐水ラワンベニヤ）などを芯とし、その上端部に発泡ポリエチレン板を貼り合わせて積層したような複合構造の芯材でも使用できる。このような複合構造の芯材であれば、芯材として適当な剛性を与える機能と、内面防水布１７と外面防水布１８との間隔を確保するスペーサーの機能とをより自由に設計することができる。
【００４２】
芯材６は、見かけ密度が小さいと芯材６を収納した堰壁部４の密度が水の密度、即ち１ｇ／ｃｍ３未満となり、少しの水深（この実施の形態では約３０ｃｍ）で良好に起立する構造体が用いられる。
【００４３】
芯材を含む堰壁全体の密度が水の密度より低い密度となるようにすることが好ましく、芯材を含む堰壁全体の密度は０．０１〜０．８ｇ／ｃｍ３であることがより好ましい。さらに好ましくは０．０２〜０．５ｇ／ｃｍ３である。密度が０．８ｇ／ｃｍ３より大きいと、堰壁部４が倒伏状態のときに越流が生じやすく、堰壁部４の背面、即ち外面防水布の上に越流水が乗ることで堰壁部４が起立し難くなる。密度が０．０１ｇ／ｃｍ３より小さいと堰壁部４の厚みが厚くなりすぎて、コンパクトに折り畳むことができない。
【００４４】
［規制隔壁部］
次に、規制隔壁部７について説明する。規制隔壁部７は、堰壁部４と底面部２とに接続する部材であり、その一端部が堰接続部１０に取り付けられ、その他端部が底面部２に取り付けられている。この実施の形態では、図７に示すように、規制隔壁部７は、長辺３１および短辺３２の二つの斜辺と、その一端部で長辺３１と接する底辺３３と、短辺３２と底辺３３との間に形成される切欠き部３８と、からなる略三角形状に形成されるシート片である。
【００４５】
規制隔壁部７は、繊維構造物を用いることができる。繊維構造物は、特に限定されないが、糸、ロープ、織物、編物、不織布、又はネット、あるいは、これらを用いた防水布などであってよい。上述したように、防水布とは、織物、編物、不織布、又はネット状の布帛に合成樹脂を被覆、又は含浸させたものであり、好ましくは、合成樹脂フィルムを貼り合わせしたターポリンである。この実施の形態では、規制隔壁部７は、芯材収納部５および底面部２と同様に、ポリエステル糸からなる織物の両面に、塩化ビニル樹脂またはエチレン−酢酸ビニル共重合体からなる合成樹脂フィルムを貼り合わされてなるターポリンで形成されている。規制隔壁部７に用いる防水布は底面部２及び堰接続部１０と同一組成のものを用いると接合することが容易になる。
【００４６】
規制隔壁部７は、複数本の糸状物が少なくとも１方向に配列された繊維構造物であり、かつ繊維構造物は、糸状物の配列方向を規制隔壁部７に作用する張力の方向に対応させて形成することが好ましい。糸状物の配列方向を規制隔壁部７に作用する張力の方向に配置すると、規制隔壁部７が緊張状態になった場合に、伸びが小さくなり、堰壁部４の背面側への傾倒を抑制することができる。具体的には、糸状物の配列方向を、底面部２に対して３０度〜６０度となるように形成してよい。この場合、繊維構造物は、織物、ネット、又はターポリンを用いることがより好ましい。例えば、１方向に配列された糸状物や織物の両面を合成樹脂フィルムで貼り合せてなるターポリン、又は押出成型などで得られる成型ネットなどを用いることができる。この実施の形態では、図７に示すように、規制隔壁部７のターポリンに使用されるポリエステル糸の織編物は、ポリエステル糸からなる経糸３４と緯糸３５を交互に浮き沈みさせて織った平織りにより形成され、経糸３４および緯糸３５のうち一方の糸の長さ方向の向き（布目）を、規制隔壁部７に作用する張力の方向に対応させて形成されている。具体的には、経糸３４および緯糸３５のうち一方の糸が、規制隔壁部７の底辺３３に対して概ねバイアス方向となるように形成されている。規制隔壁部７のターポリンに使用される織物の布目をバイアス方向に用いることにより、規制隔壁部７が、規制隔壁部７に作用する張力の方向（短辺３２の方向、図７の右方向）に、伸縮変形し難い構造となる。
【００４７】
また、図１〜図４などに示すように、規制隔壁部７は、堰接続部１０に配置される。規制隔壁部７は、全ての堰接続部１０に１つ配置されることが好ましい。また、各堰接続部１０の高さに規制隔壁部７の高さをほぼ合せて配置することにより、堰壁部４が高くなった場合でも、堰壁部４が背面側に傾倒することを防止することができる。例えば、発泡ポリエチレン板を芯材６とするとき、水平方向にかかる水圧によって芯材６が背面方向に撓もうとするが、規制隔壁部７の高さを堰接続部１０の高さにほぼ合わせることによって、この撓みを抑制することが可能となる。水圧は水深に比例して堰壁部４に作用するので、水平方向にかかる水圧による撓みの少ない芯材６を用いるとき、規制隔壁部７の高さを堰接続部１０の高さに合わせる必要がない場合もある。
【００４８】
そして、図８などに示すように、規制隔壁部７は、その短辺３２が堰接続部１０における内面防水布１７（前面部分）に取り付けられ、その底辺３３が底面部２の上面部分に取り付けられる。
【００４９】
規制隔壁部７を堰接続部１０（内側部分）に取り付けることで、規制隔壁部７が堰接続部１０を引っ張る際に、内面防水布１７と外面防水布１８とが、前側に向けて引っ張られる。そして、堰接続部１０に隣接する（２か所の堰接続部１０に挟まれる）芯材６の両端部も、堰接続部１０とともに前側へ向けて引っ張られる。このため、押し寄せる水等による水平方向にかかる水圧を、芯材６全体で負担することができる。
【００５０】
なお、規制隔壁部７を、内面防水布１７（内側部分）のみに取り付けると、芯材収納部５が袋状（封筒状）となっていることから、規制隔壁部７が堰壁部４を引っ張る際に、堰壁部４の内面防水布１７のみを前側へ向けて引っ張ることとなり、好ましくない。
【００５１】
規制隔壁部７は、堰壁部４に水が溜まった状態において、緊張状態となるように、その長さや大きさが選択されて取り付けられている。例えば、規制隔壁部７は、その壁接続辺（短辺３２）と底部接続辺（底辺３３）とのなす角度を６０度〜１２０度とすることができる。例えば、発泡ポリエチレン板を芯材６として使用し、底面部２に対して堰壁部４がほぼ垂直に起立した浸水防止堰１を得たい場合には、規制隔壁部７の壁接続辺（短辺３２）と底部接続辺（底辺３３）とのなす角度を６０度以上９０度未満とすることが好ましい。より好ましくは７０度〜８８度、さらに好ましくは７５度〜８５度である。規制隔壁部７の壁接続辺（短辺３２）と底部接続辺（底辺３３）とのなす角度を９０度未満にすると、堰壁部４が予め前側へ傾倒した姿勢となり、水が溜まった状態での水圧で堰壁部４が背面側へ膨らむように湾曲して、見かけ上、堰壁部４が垂直に起立（直立）した状態となる。この実施の形態では、図７に示すように、規制隔壁部７は、その短辺３２が、底辺３３に対して８度（短辺３２と底辺３３とのなす角度が８２度）で傾斜している。規制隔壁部７の短辺３２が底辺３３に対して所定の角度で傾斜していることで、規制隔壁部７を芯材収納部５の堰接続部１０に取り付けた際に、堰接続部１０が前側へ向けて引っ張られた状態となる。すなわち、浸水防止堰１の設置時には、堰壁部４の芯材６が、予め前側へ傾倒した状態となる。このため、洪水などにより多くの水が押し寄せた際に、堰壁部４の芯材６が、水圧によって、堰壁部４が後方（背面側）に傾倒することがない。また、前側へ傾倒した姿勢に規制することによって、排水後には自動的に元の倒伏状態に復帰することができる。
【００５２】
また、図８に示すように、必要に応じて、短辺３２と底辺３３との間には、切欠き部３８が形成されていてよい。規制隔壁部７の取り付けられる芯材収納部５の堰接続部１０の下部付近は、各防水布の溶着部が集中する部分であり、そのような部分へさらに規制隔壁部７を溶着すると、溶着が不充分となる場合がある。そこで、規制隔壁部７に切欠き部３８を形成することで、溶着が集中する部分への規制隔壁部７の溶着を避け、溶着の信頼性を向上させる効果がある。また、堰接続部１０の下部付近は、水等が溜まり易く、水ぬけの悪い部分である。そのため、規制隔壁部７に切欠き部３８を形成することで、水ぬけ性を向上させることができる。
【００５３】
さらに、図８に示すように、規制隔壁部７は、その短辺３２の端縁部近傍に、略Ｌ字状の第１舌片３６が短辺３２の端縁部に溶着される。そして、溶着した第１舌片３６と短辺３２の端縁部を１８０度開いて、芯材収納部５の堰接続部１０に溶着して接合することにより、芯材収納部５の堰接続部１０に接続される。これにより、規制隔壁部７は、短辺３２において、芯材収納部５と一体に形成される。
【００５４】
また同様に、規制隔壁部７は、その底辺３３の端縁部近傍に、略Ｌ字状の第２舌片３７が底辺３３の端縁部に溶着される。そして、溶着した第２舌片３７と底辺３３の端縁部を１８０度開いて、底面部２に溶着して接合することにより、底面部２に接続される。これにより、規制隔壁部７は、底辺３３において、底面部２と一体に成形される。
【００５５】
このように、第１舌片３６および第２舌片３７をそれぞれ１８０度開いて、芯材収納部５の堰接続部１０或いは底面部２に溶着することから、堰壁部４への水圧が、短辺３２の端縁部および底辺３３の端縁部の剥離力として働くことを抑制している。
【００５６】
規制隔壁部７にターポリンを用いないで、例えばネットなどを用いるときには、このようなターポリン製の２つの第１舌片３６および２つの第２舌片３７でネット製の規制隔壁部７を挟むようにそれぞれの箇所に縫製して、これらを堰接続部１０および底面部２に溶着して接合することにより一体に成形してよい。
【００５７】
壁接続辺（短辺３２）の長さＨ２と底部接続辺（底辺３３）の長さＬ２の比（Ｈ２：Ｌ２）は、２：１から１：３が好ましい。長さの比が２：１よりも小さいと底部接続辺の接合部が破損することがある。また長さの比が１：３よりも大きいと不必要に規制隔壁部７が大きくなり、底面部２の前面側方向への長さが大きくなりすぎる。
【００５８】
［重り］
図５に簡略的に示すように、底面部２の先端部（前辺部）は、袋状に折り返され、この折り返し部分に重り８が適当間隔毎に収納されている。重り８としては、例えば、幅が約１０ｃｍ、奥行が約５ｃｍ、厚みが約６ｍｍの鉄の平板を用いるとよいが、これに限るものではない。この重り８を底面部２の先端部（前辺部）に入れ、必要に応じて、底面部２の先端部（前辺部）における折り返し部分の重り８の間の部分や、両端部を縫うなどして重り８が折り返した部分の内部で横方向に移動しないよう規制することが好ましいがこれに限るものではない。
【００５９】
［浸水防止堰接続用のファスナー］
図１〜図４に示すように、この実施の形態では、底面部２および堰壁部４における幅方向の両端辺に、浸水防止堰１同士を横方向につなげることが可能な面ファスナー１１が取り付けられている。すなわち、当該浸水防止堰１の一方の両端辺の底面部２および堰壁部４には雄面ファスナーが取り付けられ、当該浸水防止堰１の他方の両端辺の底面部２および堰壁部４には雌面ファスナーが取り付けられる。これにより、浸水防止領域に対応する防水箇所の長さに対応する寸法となるように、前記面ファスナー１１同士を係止させて複数の浸水防止堰１同士を接続（連結）する。なお、面ファスナーに代えて防水性を有する線ファスナーを用いてもよい。また、このような浸水防止堰を直線状につなぎ合わせるだけではなく、緩やかな曲線となるものと組み合わせたり、直角につなぎ合わせるためのコーナー用ユニットを介して接続させたりしてもよい。また、建築物や構築物へ直接係止させてもよい。
【００６０】
以下、本発明の一実施形態の浸水防止堰を実施例として、本発明を詳細に説明する。但し、本発明は、下記の実施例に限定されるものではない。
【００６１】
（実施例１）
ポリエステル織物（経、緯糸繊度１０００デニール、経密度１９本／インチ、緯密度２０本／インチ、組織：平織）の両面に軟質塩化ビニルフィルムを貼り合わせした、厚さ０．８５ｍｍ、質量１０００ｇ／ｍ２のターポリンを用いて、長さ２．５ｍ、幅５．１ｍの底面部２、および高さ１ｍ、幅５．１ｍの堰壁部４を一体に形成した。
【００６２】
堰壁部４は、それぞれ前記ターポリンからなる内面防水布１７、外面防水布１８及び上面防水布１９からなり、内面防水布１７と外面防水布１８との間に袋状の芯材収納部５を設け、芯材収納部間を６０ｃｍで隣接するように高周波ウエルダーで溶着させて７箇所の堰接続部１０を形成した。
【００６３】
次いで、前記ターポリンからなる略三角形状に形成した規制隔壁部７に第１舌片３６と第２舌片３７とを設けて、これら１８０度に開いた舌片を介して堰壁部４の堰接続部１０および堰壁部の両端部と、底面部２との上面との間を、合計３６箇所にわたって高周波ウエルダーで溶着して、合計９ケ所の規制隔壁部７を接続した。
【００６４】
前記各規制隔壁部７は、短辺３２と底辺３３とのなす角度を８０度とし、その角には約１０ｃｍの切り欠き部を設けた。また、前記略三角形の各規制隔壁部７に用いたターポリンの糸条の一方の方向を、規制隔壁部７の長辺３１に合うように裁断して用いた。
【００６５】
芯材６として、高さ９５ｃｍ、幅４５ｃｍ、厚み４ｃｍで、質量約５００ｇ、密度約０．０２９ｇ／ｃｍ３、圧縮弾性係数（ＪＩＳ  Ｋ６７６７  ２５％圧縮強度）０．０４８ＭＰａの、独立気泡の発泡ポリエチレン板を芯材収納部５に収納した。
【００６６】
底面部の先端は折り返して縫製して奥行き６ｃｍの袋状となし、これに長さ１０ｃｍ、幅５ｃｍ、厚さ６ｍｍの鉄製の平板を重りとして内包させ、２０ｃｍピッチで底面部の先端全幅にわたって配置することにより、本発明の浸水防止堰を得た。なお、芯材を含む堰壁の密度は、約０．１０ｇ／ｃｍ３であった。
【００６７】
（実施例２）
芯材６を多層の片面段ボール紙を積層した積層段ボール板に置きかえる以外は実施例１と同様にして本発明の浸水防止堰を得た。
【００６８】
なお、積層ダンボール板は、表裏のライナー間にコルゲート加工をした中芯を中ライナーを介して５層積層した積層段ボール板を用い、高さ９５ｃｍ、幅４５ｃｍ、厚み４ｃｍで、質量約７７０ｇ、見かけ密度約０．０４５ｇ／ｃｍ３であった。なお、芯材を含む堰壁の密度は、約０．１２ｇ／ｃｍ３であった。
【００６９】
実施例１、２の浸水防止堰について、両側と前面とを壁で囲んだ平地に、堰壁部４が底面部２の上に倒伏した状態で敷設し、その前面側から水を流し込む実験を行ったところ、この実施の形態では約１ｍの堰壁部４の高さに対して、水深約３０ｃｍという少しの水圧で自動的に起立し、起立時に芯材６が座屈して堰壁部４が折れ曲がることも無かった。
【００７０】
水位が８０ｃｍに達するまで継続して試験を行ったが、浸水が生じることや、堰壁部４が背面側に向けて転倒することがなく良好に作用した。また、排水に応じて約３０ｃｍの水深になるまで堰壁部４の起立状態が維持され、約３０ｃｍよりも水位が下がることで、堰壁部４は自動的に倒伏して行き、完全に排水した後は初期の堰壁部４が底面部２の上に倒伏した状態に復帰した。
【００７１】
芯材６として発泡ポリエチレン板の厚みを２ｃｍ、質量を約２５０ｇにし、他は実施例１と同様にして浸水防止堰を得（堰壁部全体の密度が約０．１７ｇ／ｃｍ３）、上記と同様の水を流し込む実験を行ったところ、水深約３０ｃｍで堰壁部４の起立がはじまろうとしたが、発泡ポリエチレン板が座屈したため、手で折れ曲がった堰壁部４の先端を一度持ち上げることによって、堰壁部４は簡単に起立した。この場合も浸水防止の作用効果は問題なくあり、越流も生じなかった。また、排水に応じて約３０ｃｍの水位になるまで堰壁部４の起立状態が維持され、約３０ｃｍよりも水位が下がることで、堰壁部４は自動的に倒伏して行き、完全に排水した後は初期の堰壁部４が底面部２の上に倒伏した状態に復帰したことは実施例１、２と同様であった。
【００７２】
［浸水防止堰の設置方法］
浸水防止堰１を設置する場合には、豪雨、河川の氾濫、高潮、津波等で起こる洪水などの水が流入する方向に底面部２の先端（前辺部）や、規制隔壁部７が臨むように、すなわち、堰壁部４が起立した際に、堰壁部４の前面（図１に示されている面）側が臨み、堰壁部４の背面（図２に示されている面）側が浸水を防止する領域となるよう（例えば、浸水を防止するための建物などがある領域となるよう）に、浸水防止堰１を幅方向に広げた状態で設置する。なお、この際、水が無い状態では、図９（ａ）に示すように、堰壁部４は水Ｗによる浮力を発生していないため、堰壁部４は底面部２に上方から重なった状態（倒伏状態）である。
【００７３】
［水流入時などについて］
水Ｗが底面２上に流入し始めると、堰壁部４の芯材６による浮力が発生するが、水深が小さい状態（例えば約１０ｃｍほど）では、浮力が小さいため、図９（ｂ）に示すように、堰壁部４の先端（最終的に上端となる部分）が水面に合わせて徐々に上昇し、堰壁部４が徐々に起き上がり始めて起立状態側に傾斜し始めて傾斜姿勢となる。このとき堰壁部４の先端は水面高さ（水位）とほぼ同じ高さにある。
【００７４】
続けて水Ｗが底面２上に流入して、水深が増加して例えば約３０ｃｍになり、溜まった水Ｗが堰壁部４の下部まで達すると、図１、図９（ｃ）に示すように、堰壁部４に作用する水圧により、堰壁部４が起立姿勢まで起立し、水面の高さよりも、堰壁部４の先端（上端）が高い状態となる。
【００７５】
このように、堰壁部４の下部などの堰壁部４の一部まで水が溜まるだけで、堰壁部４が起立するため、このように堰壁部４の下部まで水が溜まった状態で高い波がさらに押し寄せた場合でも、起立した堰壁部４により、堰壁部４を越えて波などが浸水することを防止できる。この結果、浸水防止や越流防止に対する信頼性を極めて良好に維持することができる。
【００７６】
また、この際、規制隔壁部７により堰壁部４が背面側に傾倒しないように規制されているため、堰壁部４は、背面側に傾倒することなく、溜まった水を保持した状態で、浸水を良好に防止できる。また、規制隔壁部７を堰壁部４の堰接続部１０に取り付けることで、堰接続部１０の内面防水布１７と外面防水布１８とを、同時に前側へ向けて引っ張ることができるため、規制隔壁部７によって確実に堰壁部４の傾倒(変形)を防止することができ、信頼性が向上する。
【００７７】
なお、この後、流入した水が引いてゆき、水深が小さくなると、これに伴って、堰壁部４も倒伏姿勢側に徐々に傾斜し、水が殆どなくなった状態では、堰壁部４は底面部２に上方から重なった状態（倒伏状態）に戻ることとなる。
【００７８】
［浸水防止堰の折り畳み方法］
次に、浸水防止堰１の折り畳み方法について説明する。
図１０（ａ）に示すように、浸水防止堰１はまず、底面部２と堰壁部４とを連結する接続連結ヒンジとして機能する底面部２の奥端を、底面部２の上面に重なるように前側に折り曲げる。なお、規制隔壁部７は、堰壁部４を底面部２に重なるように折り畳んだ際に、堰壁部４とともに内部に折り畳まれる。また、図１０（ｂ）に示すように、底面部２における堰壁部４と重なっていない部分を前後方向に対して折り畳んで、折り畳んだ底面部２と堰壁部４とを重ね合わせ、前後方向にコンパクトな状態とする。
【００７９】
図１０（ｃ）、図１０（ｄ）、に示すように、底面部２と堰壁部４とを重ねて折り畳んだものを、堰壁部４の堰接続部１０が設けられている箇所で、幅方向に対しても、いわゆるアコーディオン式に順次折り曲げて折り畳む。これにより、図１０（ｄ）に示すように、浸水防止堰１を略立方体形状のコンパクトな状態に折り畳むことができる。
【００８０】
上記構造によれば、それぞれ可撓性を有する防水布からなる底面部２と堰壁部４とを備え、堰壁部４に、芯材収納部５を設けて、堰壁部４の下端部近傍箇所から上端部近傍箇所まで芯材６を収納したことにより、芯材６が収納された堰壁部４の全体が極めて軽くて全体的に浮力を有する構造とすることができるとともに、芯材６によりある程度の剛性を有する構造とすることができる。
【００８１】
したがって、上記のように、堰壁部４の下部などの堰壁部４の一部まで水が溜まるだけで、堰壁部４が水圧のみによって自動的に起立する構造とすることができ、これにより、堰壁部４の下部まで水が溜まった状態で高い波が押し寄せた場合でも、起立した堰壁部４により、堰壁部４を越えて波などが浸水することを防止でき、防水に対する信頼性を良好に維持することができる。
【００８２】
また、上記構造によれば、堰壁部４をほぼ直立する姿勢に起立させることができるので、起立時に堰壁部４の高さに対応する寸法を、従来のように斜辺部で浸水を防止する構造のものでは５０ｃｍの高さを形成するために１ｍの長さのものが必要であったが、本発明の実施の形態では、堰壁部４として、例えば、１ｍの堰壁部４で約１ｍ高さの浸水を防止することができる。また、これに対応して、規制隔壁部７や底面部２の前後方向（奥行き方向）に対する長さも比較的小さいもので済ますことができ、堰壁部４、ひいては浸水防止堰１として大型化しなくても、十分に浸水を防止できるものを得ることができる。
【００８３】
また、堰壁部４の芯材収納部５を袋状とすることで、簡単な構造でありながら芯材６を確実に収納することができる。また、芯材６を挿入する挿入口２１を、堰壁部４の下辺側に形成することで、水が溜まった場合でも芯材６が挿入口２１とは反対側の堰壁部４の上辺部に作用するだけなので、堰壁部４の挿入口２１から芯材６が抜け出ることを防止できて、信頼性をさらに向上することができる。
【００８４】
また、堰壁部４において、複数の芯材収納部５が隣接し、芯材収納部５間が可撓性を有する防水布からなる堰接続部１０を介し、一体に形成される構造としたことにより、浸水防止堰１を使用しない時には、堰壁部４に底面部２を重ねるとともに、さらに、堰接続部１０に対応する箇所で折曲することで、浸水防止堰１全体を良好に折り畳むことができ、極めてコンパクトに折り畳んだ状態で小さな空間に収納することが可能となる。
【００８５】
また、規制隔壁部７による、底面部２の上面につなげられた辺と堰壁部４の一側面（前面）につなげられた辺との交差する角度が、６０度以上９０度未満の状態となるようよう形成し、側面視略三角形状とすることにより、比較的短い長さ（起立高さ）の堰壁部４で浸水を良好に防止でき、堰壁部４、ひいては、浸水防止堰１として大型化しなくても済ますことが可能となる。
【００８６】
また、底面部２および堰壁部４における幅方向の両端辺に、他の浸水防止堰１を接続可能な面ファスナー１１などのファスナーを取り付けることにより、他の浸水防止堰１を容易に接続することができて、浸水を防止する箇所の長さ（領域の大きさ）に良好かつ簡単に対応して浸水を防止できる。
【００８７】
上記構造によれば、堰接続部１０を底面部２や堰壁部４と同じ防水布から形成したので、浸水防止堰１として極めて簡単な構造であり、かつ、持ち運びも容易であり取扱いやすい利点がある。つまり、例えば、底面部２と堰壁部４とを接合するヒンジとして、金属製のヒンジを用いたり、堰壁部同士を平板状の金属板で連結する構成としたりすると、浸水防止堰を折り畳んで収納することができない。また、底面部２を用いずに、堰壁部４を接合するヒンジを設置面に直接固定するよう構成した場合には、浸水防止堰を持ち運び可能な可搬式とできなくなる。これに対して、本発明の構成によれば、コンパクトに収納できるとともに、必要な場合だけ、持ち運んで容易に設置できる利点がある。
【００８８】
また、上記実施の形態では、規制隔壁部７が、経糸３４及び緯糸３５からなる平織りのシートで形成されている場合を述べたが、上述のとおり、これに限定されるものではなく、横方向の水の通りを良くするために、規制隔壁部７を、経糸３４及び緯糸３５からなるメッシュ状のシートで形成しても構わない。また、上記実施の形態では、規制隔壁部７をシート状の部材で形成している場合を述べたが、上述のとおり、これに限定されるものでなく、堰壁部４を支持可能な構造であればよく、例えば、ロープ等で位置を規制する（支持する）構造としても構わない。
【符号の説明】
【００８９】
１      浸水防止堰
２      底面部
４      堰壁部
５      芯材収納部
６      芯材
７      規制隔壁部
８      重り
１０    堰接続部
１１    面ファスナー（ファスナー）
１７    内面防水布
１８    外面防水布
１９    上面防水布
２０    下面防水布
Ｗ      水
【図１】
0005955368.tif 000002
【図２】
0005955368.tif 000003
【図３】
0005955368.tif 000004
【図４】
0005955368.tif 000005
【図５】
0005955368.tif 000006
【図６】
0005955368.tif 000007
【図７】
0005955368.tif 000008
【図８】
0005955368.tif 000009
【図９】
0005955368.tif 000010
【図１０】
0005955368.tif 000011
【図１１】
0005955368.tif 000012
【図１２】
0005955368.tif 000013